(57)【特許請求の範囲】
【請求項１】
光を照射するランプであって、
発光素子が設けられた基板と、
前記基板の光照射側に配置され、前記発光素子から照射される光を反射する反射部材と、
内方に前記反射部材の全部または一部が配置され、光照射側に開口が形成される筐体と、
前記筐体に形成された前記開口を塞ぐカバー部材とを備え、
前記反射部材は、前記筐体と接続するための筐体側反射接続部を有するとともに、前記筐体は、前記筐体側反射接続部と接続される反射側筐体接続部を有し、
前記筐体は、さらに、前記カバー部材と接続するためのカバー側筐体接続部を有するとともに、前記カバー部材は、前記カバー側筐体接続部と接続される筐体側カバー接続部を有し、
前記カバー部材は、さらに、前記反射部材と接続するための反射側カバー接続部を有するとともに、前記反射部材は、さらに、前記反射側カバー接続部と接続されるカバー側反射接続部を有し、
前記反射側筐体接続部は、前記筐体側反射接続部の光照射側に配置される
ランプ。
【請求項２】
前記筐体側カバー接続部は、前記カバー部材の外方に突出した形状を有し、前記カバー側筐体接続部の内方に配置され、
前記カバー側筐体接続部と前記筐体側カバー接続部とは、それぞれが互いに係合可能な形状を有する
請求項１に記載のランプ。
【請求項３】
光を照射するランプであって、
発光素子が設けられた基板と、
前記基板の光照射側に配置され、前記発光素子から照射される光を反射する反射部材と、
内方に前記反射部材の全部または一部が配置され、光照射側に開口が形成される筐体と、
前記筐体に形成された前記開口を塞ぐカバー部材とを備え、
前記反射部材は、前記筐体と接続するための筐体側反射接続部を有するとともに、前記筐体は、前記筐体側反射接続部と接続される反射側筐体接続部を有し、
前記筐体は、さらに、前記カバー部材と接続するためのカバー側筐体接続部を有するとともに、前記カバー部材は、前記カバー側筐体接続部と接続される筐体側カバー接続部を有し、
前記カバー部材は、さらに、前記反射部材と接続するための反射側カバー接続部を有するとともに、前記反射部材は、さらに、前記反射側カバー接続部と接続されるカバー側反射接続部を有し、
前記カバー側反射接続部が前記反射側カバー接続部の光照射側に配置され、
前記反射側カバー接続部と前記カバー側反射接続部とは、それぞれが互いに係合可能な形状を有する
ランプ。
【請求項４】
光を照射するランプであって、
発光素子が設けられた基板と、
前記基板の光照射側に配置され、前記発光素子から照射される光を反射する反射部材と、
内方に前記反射部材の全部または一部が配置され、光照射側に開口が形成される筐体と、
前記筐体に形成された前記開口を塞ぐカバー部材とを備え、
前記反射部材は、前記筐体と接続するための筐体側反射接続部を有するとともに、前記筐体は、前記筐体側反射接続部と接続される反射側筐体接続部を有し、
前記筐体は、さらに、前記カバー部材と接続するためのカバー側筐体接続部を有するとともに、前記カバー部材は、前記カバー側筐体接続部と接続される筐体側カバー接続部を有し、
前記カバー部材は、さらに、前記反射部材と接続するための反射側カバー接続部を有するとともに、前記反射部材は、さらに、前記反射側カバー接続部と接続されるカバー側反射接続部を有し、
前記反射部材は、周上に等間隔で並ぶ複数の前記筐体側反射接続部を有し、前記筐体は、前記複数の筐体側反射接続部に対応する複数の前記反射側筐体接続部を有し、
前記筐体は、周上に等間隔で並ぶ複数の前記カバー側筐体接続部を有し、前記カバー部材は、前記複数のカバー側筐体接続部に対応する複数の前記筐体側カバー接続部を有し、
前記カバー部材は、周上に等間隔で並ぶ複数の前記反射側カバー接続部を有し、前記反射部材は、前記複数の反射側カバー接続部に対応する複数の前記カバー側反射接続部を有する
ランプ。
【請求項５】
前記筐体側カバー接続部と前記反射側カバー接続部とは、それぞれの周上においてランプ中心より見たときに異なる位置に配置される
請求項１〜４のいずれか１項に記載のランプ。
【請求項６】
光を照射するランプであって、
発光素子が設けられた基板と、
前記基板の光照射側に配置され、前記発光素子から照射される光を反射する反射部材と、
内方に前記反射部材の全部または一部が配置され、光照射側に開口が形成される筐体と、
前記筐体に形成された前記開口を塞ぐカバー部材とを備え、
前記反射部材は、前記筐体と接続するための筐体側反射接続部を有するとともに、前記筐体は、前記筐体側反射接続部と接続される反射側筐体接続部を有し、
前記筐体は、さらに、前記カバー部材と接続するためのカバー側筐体接続部を有するとともに、前記カバー部材は、前記カバー側筐体接続部と接続される筐体側カバー接続部を有し、
前記カバー部材は、さらに、前記反射部材と接続するための反射側カバー接続部を有するとともに、前記反射部材は、さらに、前記反射側カバー接続部と接続されるカバー側反射接続部を有し、
前記カバー部材は、さらに、前記反射側カバー接続部の両側に、前記カバー側反射接続部と嵌合することで前記反射部材に対する前記カバー部材の回転位置を位置決めする回転位置決め部を有する
ランプ。
【請求項７】
光を照射するランプであって、
発光素子が設けられた基板と、
前記基板の光照射側に配置され、前記発光素子から照射される光を反射する反射部材と、
内方に前記反射部材の全部または一部が配置され、光照射側に開口が形成される筐体と、
前記筐体に形成された前記開口を塞ぐカバー部材とを備え、
前記反射部材は、前記筐体と接続するための筐体側反射接続部を有するとともに、前記筐体は、前記筐体側反射接続部と接続される反射側筐体接続部を有し、
前記筐体は、さらに、前記カバー部材と接続するためのカバー側筐体接続部を有するとともに、前記カバー部材は、前記カバー側筐体接続部と接続される筐体側カバー接続部を有し、
前記カバー部材は、さらに、前記反射部材と接続するための反射側カバー接続部を有するとともに、前記反射部材は、さらに、前記反射側カバー接続部と接続されるカバー側反射接続部を有し、
前記カバー部材は、さらに、前記筐体内方に突出した突出部と当接することで、前記筐体に対する前記カバー部材の回転を規制する回転規制部を有する
ランプ。
【請求項８】
請求項１〜７のいずれか１項に記載のランプと、当該ランプを装着するための照明器具とを備え、
前記照明器具は、
前記ランプを覆うように構成された器具本体と、
前記器具本体に取り付けられ、前記ランプに給電を行うためのソケットとを有する
照明装置。
【発明の詳細な説明】
【技術分野】
【０００１】
本発明は、光源としてＬＥＤ等の発光素子が用いられるランプ及び当該ランプを備える照明装置に関する。
【背景技術】
【０００２】
従来、光源として発光ダイオード（ＬＥＤ：Ｌｉｇｈｔ  Ｅｍｉｔｔｉｎｇ  Ｄｉｏｄｅ）が用いられた円盤状または扁平状のＬＥＤランプが提案されている（例えば、特許文献１参照）。このＬＥＤランプは、一般的に、ＬＥＤが実装されたＬＥＤ基板を収容する円盤状または扁平状の筐体と、当該筐体の開口を塞ぐカバー部材とを備えている。そして、カバー部材は、接着剤や嵌め合わせ構造などによって筐体に接続され、固定されている。
【先行技術文献】
【特許文献】
【０００３】
【特許文献１】国際公開第２０１２／００５２３９号
【発明の概要】
【発明が解決しようとする課題】
【０００４】
しかしながら、上記従来のＬＥＤランプでは、点灯時の熱による劣化等で、カバー部材と筐体との接続が外れる場合がある。そして、カバー部材と筐体との接続が外れた場合には、カバー部材が落下する。
【０００５】
また、筐体の内方には、ＬＥＤからの光を反射する反射部材なども配置されているため、カバー部材が筐体から外れた場合には、カバー部材とともに当該反射部材なども落下する可能性がある。当該ＬＥＤランプは、一般的に、頭上に配置される場合が多いため、このような部材が落下する可能性を極力低減することは非常に重要である。
【０００６】
本発明は、上記問題を解決するためになされたものであり、カバー部材と筐体との接続が外れた場合でも、部材が落下することを防止することができるランプ及び照明装置を提供することを目的とする。
【課題を解決するための手段】
【０００７】
上記目的を達成するために、本発明の一態様に係るランプは、光を照射するランプであって、発光素子が設けられた基板と、前記基板の光照射側に配置され、前記発光素子から照射される光を反射する反射部材と、内方に前記反射部材の全部または一部が配置され、光照射側に開口が形成される筐体と、前記筐体に形成された前記開口を塞ぐカバー部材とを備え、前記反射部材は、前記筐体と接続するための筐体側反射接続部を有するとともに、前記筐体は、前記筐体側反射接続部と接続される反射側筐体接続部を有し、前記筐体は、さらに、前記カバー部材と接続するためのカバー側筐体接続部を有するとともに、前記カバー部材は、前記カバー側筐体接続部と接続される筐体側カバー接続部を有し、前記カバー部材は、さらに、前記反射部材と接続するための反射側カバー接続部を有するとともに、前記反射部材は、さらに、前記反射側カバー接続部と接続されるカバー側反射接続部を有する。
【０００８】
また、前記筐体側反射接続部と前記反射側筐体接続部とは、それぞれが互いに係合可能な形状を有し、前記カバー側筐体接続部と前記筐体側カバー接続部とは、それぞれが互いに係合可能な形状を有し、前記反射側カバー接続部と前記カバー側反射接続部とは、それぞれが互いに係合可能な形状を有することにしてもよい。
【０００９】
また、前記反射部材は、周上に等間隔で並ぶ複数の前記筐体側反射接続部を有し、前記筐体は、前記複数の筐体側反射接続部に対応する複数の前記反射側筐体接続部を有し、前記筐体は、周上に等間隔で並ぶ複数の前記カバー側筐体接続部を有し、前記カバー部材は、前記複数のカバー側筐体接続部に対応する複数の前記筐体側カバー接続部を有し、前記カバー部材は、周上に等間隔で並ぶ複数の前記反射側カバー接続部を有し、前記反射部材は、前記複数の反射側カバー接続部に対応する複数の前記カバー側反射接続部を有することにしてもよい。
【００１０】
また、前記筐体側カバー接続部と前記反射側カバー接続部とは、それぞれの周上においてランプ中心より見たときに異なる位置に配置されることにしてもよい。
【００１１】
また、前記カバー部材は、さらに、前記反射側カバー接続部の両側に、前記カバー側反射接続部と嵌合することで前記反射部材に対する前記カバー部材の回転位置を位置決めする回転位置決め部を有することにしてもよい。
【００１２】
また、前記カバー部材は、さらに、前記筐体内方に突出した突出部と当接することで、前記筐体に対する前記カバー部材の回転を規制する回転規制部を有することにしてもよい。
【００１３】
また、上記目的を達成するために、本発明の一態様に係る照明装置は、ランプと、当該ランプを装着するための照明器具とを備え、前記照明器具は、前記ランプを覆うように構成された器具本体と、前記器具本体に取り付けられ、前記ランプに給電を行うためのソケットとを有する。
【発明の効果】
【００１４】
本発明に係るランプ及び照明装置によれば、カバー部材と筐体との接続が外れた場合でも、部材が落下することを防止することができる。
【図面の簡単な説明】
【００１５】
【図１Ａ】本発明の実施の形態１に係るランプの外観を示す斜視図である。
【図１Ｂ】本発明の実施の形態１に係るランプの外観を示す斜視図である。
【図２】本発明の実施の形態１に係るランプの構成を示す図である。
【図３】本発明の実施の形態１に係るランプの構成を示す分解斜視図である。
【図４】本発明の実施の形態１に係る筐体の構成を示す斜視図である。
【図５】本発明の実施の形態１に係る反射鏡の構成を示す斜視図である。
【図６】本発明の実施の形態１に係る透光性カバーの構成を示す斜視図である。
【図７】本発明の実施の形態１に係る透光性カバーと筐体及び反射鏡との配置関係を示す図である。
【図８】本発明の実施の形態１に係る筐体と反射鏡との接続状態を示す図である。
【図９】本発明の実施の形態１に係る透光性カバーと筐体及び反射鏡との接続状態を示す図である。
【図１０】本発明の実施の形態２に係る照明装置の構成を示す断面図である。
【発明を実施するための形態】
【００１６】
以下、本発明の実施の形態に係るランプ及び照明装置について、図面を参照して説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。また、各図において、寸法等は厳密には一致しない。また、本願において、数値範囲を示す際に用いる符号「〜」は、その両端の数値を含む。
【００１７】
（実施の形態１）
まず、本発明の実施の形態１に係るランプ１の概略構成について、説明する。
【００１８】
図１Ａ及び図１Ｂは、本発明の実施の形態１に係るランプ１の外観を示す斜視図である。具体的には、図１Ａは、ランプ１を斜め上方から見たときの斜視図であり、図１Ｂは、ランプ１を斜め下方から見たときの斜視図である。なお、ランプ１の開口はカバーで塞がれているが、当該カバーは透明な部材であるため、図１Ｂでは、ランプ１の内部が透けて見えている。
【００１９】
これらの図に示すように、ランプ１は、全体形状が円盤状または扁平状のＬＥＤランプである。具体的には、ランプ１は、ＧＨ７６ｐ形の口金を有するＬＥＤランプである。さらに具体的には、ランプ１は、例えば外径が５０ｍｍ〜１００ｍｍ、高さが３０ｍｍ〜５０ｍｍであり、ランプ１が２０Ｗ型のＬＥＤランプの場合には、例えば外径は９０ｍｍ、高さは４５ｍｍである。
【００２０】
また、ランプ１は、照明器具（図示せず）に取り付けられる支持台２０と、発光素子が設けられた実装基板４０と、支持台２０に接続された筐体５０とを備えている。
【００２１】
なお、図１Ａでは、ランプ１から光を取り出す側（以下、光照射側という）が下側となるように、また、図１Ｂでは、光照射側が上側となるように図示されている。以下、本実施の形態では、図１Ａのように、光照射側が下側となるようにＬＥＤランプを配置した状態を基準として、上（上側）及び下（下側）を規定する。
【００２２】
また、筐体５０の上面（照明器具側の面）には、円周上に５つの貫通孔５１（同図では、貫通孔５１ａ〜５１ｅ）が形成されている。そして、当該貫通孔５１には、照明器具と電気的に接続するための電気接続ピン５２が挿入される。なお、同図では、貫通孔５１ａ、５１ｂに電気接続ピン５２ａ、５２ｂが挿入されているが、貫通孔５１ｃ〜５１ｅにも、それぞれ電気接続ピン５２ｃ〜５２ｅ（図示せず）が挿入される。ここで、例えば、電気接続ピン５２ａ、５２ｂは給電用のピンであり、電気接続ピン５２ｃ、５２ｄは調光用のピンであり、電気接続ピン５２ｅはアース用のピンである。なお、例えば調光を行わない場合には、貫通孔５１ｃ、５１ｄは形成されず、電気接続ピン５２ｃ、５２ｄは挿入されない。
【００２３】
次に、本発明の実施の形態１に係るランプ１の詳細構成について、説明する。
【００２４】
図２及び図３は、本発明の実施の形態１に係るランプ１の構成を示す図である。具体的には、図２は、ランプ１を上下方向に切断した場合の断面の概略図であり、図３は、ランプ１を分解した場合の各構成要素を示す分解斜視図である。なお、図２は、各構成要素の位置関係を説明するための概略図であり、各構成要素の接続部分の構造等は省略して示している。
【００２５】
これらの図に示すように、ランプ１は、熱伝導シート１０、支持台２０、熱伝導シート３０、実装基板４０、筐体５０、固定用ネジ６０、回路基板７０、反射鏡８０及び透光性カバー９０を備えている。
【００２６】
熱伝導シート１０は、支持台２０を介して伝達される実装基板４０からの熱を照明器具側に逃がす伝熱性のシートである。具体的には、熱伝導シート１０は、ゴムまたは樹脂製のシートであり、例えばシリコンシートまたはアクリルシートである。
【００２７】
支持台２０は、照明器具に接続される部材である。具体的には、支持台２０の上部には例えばＧＨ７６ｐ形の口金構造が形成され、照明器具に取り付けられ固定される。また、支持台２０は、実装基板４０が取り付けられる台座であって、実装基板４０の光照射側とは反対側に配置されている。また、支持台２０は、アルミニウムなどの熱伝導性が高い材料で構成することが好ましい。
【００２８】
熱伝導シート３０は、実装基板４０と支持台２０とを熱的に接続する熱伝導シートである。つまり、熱伝導シート３０は、実装基板４０からの熱を支持台２０へ効率よく伝達して、当該熱を照明器具側へ逃がすことができる伝熱性のシートである。なお、実装基板４０が金属製の基板の場合には、熱伝導シート３０は、実装基板４０と支持台２０とを絶縁する絶縁シートであるのが好ましい。具体的には、熱伝導シート３０は、ゴムまたは樹脂製のシートであり、例えばシリコンシートまたはアクリルシートである。なお、熱伝導シート３０は、グリスなど液状の部材などであってもよい。
【００２９】
実装基板４０は、半導体発光素子等の発光素子が設けられた基板である。実装基板４０は、例えば、平板状で構成されており、発光素子が搭載される一方の面と支持台２０に対して熱的に接続可能な他の面とを有している。また、実装基板４０は、熱伝導性が高い材料で構成することが好ましく、例えば、アルミナからなるアルミナ基板により構成される。なお、実装基板４０としては、アルミナ基板以外に、窒化アルミニウム等のその他のセラミックス基板、アルミ、銅等の金属基板、あるいは、金属板と樹脂基板との積層構造を有するようなメタルコア基板等を用いても構わない。なお、実装基板４０は、特許請求の範囲に記載の「基板」に包含される。
【００３０】
具体的には、実装基板４０には、発光部４１が設けられている。発光部４１は、実装基板４０に実装された複数のＬＥＤチップ（図示せず）と、封止部材（図示せず）とを備えている。ＬＥＤチップは、実装基板４０の一方の面上にダイボンディング等によって実装される。なお、ＬＥＤチップとしては、例えば、中心波長が４４０ｎｍ〜４７０ｎｍの青色光を発光する青色発光ＬＥＤチップが用いられる。また、封止部材は、ＬＥＤチップを封止してＬＥＤチップを保護するとともにＬＥＤチップからの光を波長変換するために、蛍光体を含む樹脂で構成された蛍光体含有樹脂である。封止部材としては、例えば、ＬＥＤチップが青色発光ＬＥＤである場合、白色光を得るために、ＹＡＧ（イットリウム・アルミニウム・ガーネット）系の黄色蛍光体粒子をシリコーン樹脂に分散させた蛍光体含有樹脂を用いることができる。これにより、発光部４１（封止部材）からは、蛍光体粒子によって波長変換された黄色光と青色ＬＥＤチップからの青色光とによって白色光が放出される。
【００３１】
また、発光部４１の外径は、例えば５ｍｍ〜５０ｍｍであり、ランプ１が２０Ｗ型のＬＥＤランプの場合には、発光部４１の外径は、例えば２０ｍｍである。
【００３２】
なお、本実施の形態では、丸型の発光部４１を例示したが、本発明において、発光部の形状または構造は丸型のものに限定されない。例えば、角型の発光部を用いてもよい。また、複数のＬＥＤチップの並びは特に限定されず、例えば、ＬＥＤチップをライン状に封止したり、マトリックス状に封止したり、円形状に封止したりすることができる。
【００３３】
筐体５０は、光照射側に開口が形成された、ランプ１の光照射側を囲う平盤状で円筒形状の筐体である。具体的には、筐体５０は、上部が、固定用ネジ６０によって支持台２０に固定されており、下部には、透光性カバー９０が取り付けられている。そして、筐体５０の内方には、熱伝導シート３０、実装基板４０、回路基板７０及び反射鏡８０が配置されている。筐体５０は、ＰＢＴ（ポリブチレンテレフタレート）などの絶縁性を有する合成樹脂からなる樹脂筐体で構成される。
【００３４】
また、筐体５０は、図１Ａに示したように、実装基板４０に実装されたＬＥＤチップを発光するための電力を受電する受電部である電気接続ピン５２を有する。つまり、給電用の電気接続ピン５２は、交流電力を受電し、受電した交流電力は、リード線を介して回路基板７０に入力される。なお、筐体５０の構成の詳細な説明については、後述する。
【００３５】
固定用ネジ６０は、筐体５０を支持台２０に固定するためのネジである。なお、筐体５０と支持台２０とは、ネジによって固定されることには限定されない。例えば、筐体５０と支持台２０とが互いに嵌合する部位を有しており、当該部位で嵌合することで、筐体５０が支持台２０に接続されることにしてもよいし、接着剤等によって筐体５０が支持台２０に接着されることにしてもよい。
【００３６】
回路基板７０は、実装基板４０に実装されたＬＥＤチップを発光させるための電源回路基板である。回路基板７０は、円形状の開口が形成された円盤状（ドーナツ形状）の基板であり、筐体５０の内方かつ反射鏡８０の外方に配置されている。そして、筐体５０の内方かつ反射鏡８０の外方のスペースに、回路基板７０に実装された回路素子（電子部品）が配置されている。
【００３７】
また、回路基板７０は、筐体５０の内方の上部に配置されているため、例えば電解コンデンサやチョークコイル等のサイズが大きい回路素子は回路基板７０の下面側に配置されるのが好ましい。なお、本実施の形態では、回路基板７０は、筐体５０の内方かつ反射鏡８０の外方に配置されている形態を示したが、その配置箇所は特に限定されるものではなく、適宜設計すればよい。
【００３８】
なお、回路基板７０は、筐体５０の内方かつ反射鏡８０の外方に配置されている形態においては、サイズが大きい回路素子は、回路基板７０の外側に配置されるのがより好ましい。図２に示すように、反射鏡８０が下に向かって拡径する形状の場合、回路基板７０の内側に形成される空間よりも回路基板７０の外側に形成される空間の方が大きくなるためである。
【００３９】
具体的には、回路基板７０には、給電用の電気接続ピン５２から受電した交流電力を直流電力に変換するための回路素子（電子部品）などが実装されている。つまり、回路基板７０の入力部と給電用の電気接続ピン５２とがリード線等によって電気的に接続されており、また、回路基板７０の出力部と実装基板４０の発光部とがリード線等によって電気的に接続されている。回路基板７０によって変換された直流電力は、給電端子を介して実装基板４０の発光部に供給される。
【００４０】
反射鏡８０は、実装基板４０の光照射側に配置され、発光部から照射される光を反射する光学部材である。つまり、反射鏡８０は、実装基板４０に設けられた発光部から出射する出射光を反射して下方に照射する。具体的には、反射鏡８０は、実装基板４０の下方かつ筐体５０の内方に配置され、下方に向かって径が漸次拡大するように形成された円錐台筒状の部位を有している。
【００４１】
また、反射鏡８０は、絶縁性を有する白色の合成樹脂材料によって構成されている。反射鏡８０の材質は、ポリカーボネートが好ましいが、ポリカーボネートには限定されない。なお、反射率を向上させるために、反射鏡８０の内面に反射膜をコーティングしても構わない。なお、反射鏡８０は、特許請求の範囲に記載の「反射部材」に包含される。また、反射鏡８０の構成の詳細な説明については、後述する。
【００４２】
透光性カバー９０は、筐体５０の内部に配置された部材を保護するために筐体５０の下面に取り付けられた平盤状の有底円筒形状部材である。透光性カバー９０は、筐体５０の光照射側に形成された開口を塞ぐように、接着剤、複数のリベットまたはネジ等によって、筐体５０の下面に固定されている。
【００４３】
また、透光性カバー９０は、実装基板４０に設けられた発光部から出射する出射光を透光するように、ポリカーボネートなどの光透過率の高い合成樹脂材料によって構成されている。なお、透光性カバー９０の内面には、光拡散性を促すための塗料が塗布されていてもよい。また、透光性カバー９０には、蛍光体が含まれていてもよい。この場合、発光部から発せられた光の色を透光性カバー９０によって変換することができる。ここで、透光性カバー９０は、特許請求の範囲に記載の「カバー部材」に包含される。また、透光性カバー９０の構成の詳細な説明については、後述する。
【００４４】
次に、筐体５０の構成の詳細について、説明する。
【００４５】
図４は、本発明の実施の形態１に係る筐体５０の構成を示す斜視図である。具体的には、同図は、筐体５０を斜め下方から見たときの斜視図である。
【００４６】
同図に示すように、筐体５０は、円環状に構成された筐体側面部５３と、筐体側面部５３の上方に配置され円形状の開口が形成された円盤状の筐体上面部５４とを備えている。つまり、筐体５０は、支持台２０側に凹むように形成されている。
【００４７】
また、筐体側面部５３の内面には、周上に等間隔で並ぶ複数のカバー側筐体接続部５３ａ（同図では、円周上に等間隔で並ぶ３つのカバー側筐体接続部５３ａ）が形成されている。ここで、カバー側筐体接続部５３ａは、透光性カバー９０と接続するための接続部である。
【００４８】
具体的には、カバー側筐体接続部５３ａは、後述する透光性カバー９０の筐体側カバー接続部９２と係合可能な形状を有している。つまり、カバー側筐体接続部５３ａは、筐体側面部５３の内面に形成された凹部である。
【００４９】
本実施の形態では、３つのカバー側筐体接続部５３ａが形成されているが、カバー側筐体接続部５３ａの数は限定されない。なお、透光性カバー９０を筐体５０に安定して取り付ける観点からは、２つ以上のカバー側筐体接続部５３ａが形成されているのが好ましく、３つ以上のカバー側筐体接続部５３ａが形成されているのがさらに好ましい。
【００５０】
さらに、筐体側面部５３の内面には、内方に突出した突出部５３ｂが形成されている。ここで、突出部５３ｂは、透光性カバー９０の回転を規制するための部位である。具体的には、突出部５３ｂは、上下方向に延びる棒状の突出状部位であり、後述する透光性カバー９０の回転規制部９６と当接することで、筐体５０に対する透光性カバー９０の回転を規制することができる。
【００５１】
筐体上面部５４には、固定用ネジ６０を挿入するためのネジ挿入部５４ａ〜５４ｃが形成されている。つまり、３本の固定用ネジ６０をネジ挿入部５４ａ〜５４ｃにそれぞれ挿入して、筐体５０と支持台２０とをネジ止めにより締結する。
【００５２】
また、筐体上面部５４の開口部内方には、周上に等間隔で並ぶ複数の反射側筐体接続部５５（同図では、円周上に対向して配置される２つの反射側筐体接続部５５）が配置されている。ここで、反射側筐体接続部５５は、反射鏡８０と接続するための接続部である。
【００５３】
具体的には、反射側筐体接続部５５は、後述する反射鏡８０の筐体側反射接続部８１ａと係合可能な形状を有している。つまり、反射側筐体接続部５５は、下方に向けて凹んだU字またはV字形状を有している。
【００５４】
本実施の形態では、２つの反射側筐体接続部５５が配置されている。ここで、反射側筐体接続部５５は、透光性カバー９０と筐体５０との接続が外れた場合に反射鏡８０及び透光性カバー９０の落下を防止するための二重の落下防止用に配置されているものである。このため、筐体５０と反射鏡８０との接続箇所の数は、透光性カバー９０と筐体５０との接続箇所の数、及び透光性カバー９０と反射鏡８０との接続箇所の数よりも少なく設定されている。
【００５５】
なお、反射側筐体接続部５５の数は２つには限定されないが、透光性カバー９０と筐体５０との接続が外れた場合に反射鏡８０及び透光性カバー９０の落下を防止するためには、２つ以上の反射側筐体接続部５５が配置されているのが好ましい。
【００５６】
次に、反射鏡８０の構成の詳細について、説明する。
【００５７】
図５は、本発明の実施の形態１に係る反射鏡８０の構成を示す斜視図である。具体的には、同図は、反射鏡８０を斜め上方から見たときの斜視図である。
【００５８】
同図に示すように、反射鏡８０は、下方に向かって径が漸次拡大するように形成された円錐台筒状の反射鏡側面部８１と、反射鏡側面部８１の底面に接続され円形状の開口が形成された円盤状（ドーナツ形状）の反射鏡底面部８２とを備えている。
【００５９】
また、反射鏡側面部８１の上部には、周上に等間隔で並ぶ複数の筐体側反射接続部８１ａ（同図では、円周上に対向して配置される２つの筐体側反射接続部８１ａ）が形成されている。ここで、筐体側反射接続部８１ａは、筐体５０と接続するための接続部である。
【００６０】
具体的には、筐体側反射接続部８１ａは、筐体５０の反射側筐体接続部５５と係合可能な形状を有している。つまり、筐体側反射接続部８１ａは、反射鏡側面部８１の上部から外方に突出した突出部である。
【００６１】
本実施の形態では、２つの筐体側反射接続部８１ａが形成されているが、筐体側反射接続部８１ａの数は限定されない。なお、反射側筐体接続部５５と同様に、透光性カバー９０と筐体５０との接続が外れた場合に反射鏡８０及び透光性カバー９０の落下を防止するためには、２つ以上の筐体側反射接続部８１ａが配置されているのが好ましい。
【００６２】
また、反射鏡底面部８２の外周部には、周上に等間隔で並ぶ複数のカバー側反射接続部８２ａ及び８２ｂ（同図では、円周上に等間隔で並ぶ２つのカバー側反射接続部８２ａと１つのカバー側反射接続部８２ｂ）が形成されている。ここで、カバー側反射接続部８２ａ及び８２ｂは、透光性カバー９０と接続するための接続部である。
【００６３】
具体的には、カバー側反射接続部８２ａは、後述する透光性カバー９０の反射側カバー接続部９３と係合可能な形状を有しており、カバー側反射接続部８２ｂは、後述する透光性カバー９０の反射側カバー接続部９５と係合可能な形状を有している。つまり、カバー側反射接続部８２ａ及び８２ｂは、反射鏡底面部８２の外周部に形成された凹部であり、カバー側反射接続部８２ｂの方がカバー側反射接続部８２ａよりも凹部の幅が大きくなるように形成されている。
【００６４】
本実施の形態では、２つのカバー側反射接続部８２ａと１つのカバー側反射接続部８２ｂとが形成されているが、カバー側反射接続部８２ａ及び８２ｂの数は限定されない。なお、透光性カバー９０と筐体５０との接続が外れた場合に透光性カバー９０の落下を防止するためには、２つ以上のカバー側反射接続部が配置されているのが好ましく、３つ以上のカバー側反射接続部が配置されているのがさらに好ましい。
【００６５】
次に、透光性カバー９０の構成の詳細について、説明する。
【００６６】
図６は、本発明の実施の形態１に係る透光性カバー９０の構成を示す斜視図である。具体的には、同図は、透光性カバー９０を斜め上方から見たときの斜視図である。
【００６７】
また、図７は、本発明の実施の形態１に係る透光性カバー９０と筐体５０及び反射鏡８０との配置関係を示す図である。具体的には、同図は、筐体５０と反射鏡８０と透光性カバー９０とが組み立てられた状態でランプ１を下方から見たときの図である。
【００６８】
これらの図に示すように、透光性カバー９０は、円盤状のカバー底面部９１を備えている。そして、カバー底面部９１から上方に突起するように、筐体側カバー接続部９２、反射側カバー接続部９３、カバー側面部９４及び回転規制部９６が配置されている。
【００６９】
つまり、周上に等間隔で並ぶ複数の筐体側カバー接続部９２（同図では、円周上に等間隔で並ぶ３つの筐体側カバー接続部９２）と、周上に等間隔で並ぶ複数の反射側カバー接続部９３（同図では、円周上に等間隔で並ぶ３つの反射側カバー接続部９３）とが配置されている。
【００７０】
そして、筐体側カバー接続部９２と反射側カバー接続部９３とカバー側面部９４と回転規制部９６とは、同一円周上の異なる位置に配置されている。つまり、これらは、同一円周上においてランプ中心より見たときに異なる位置に配置されている。なお、筐体側カバー接続部９２、反射側カバー接続部９３、カバー側面部９４及び回転規制部９６は、すべてが同一周上に配置されている必要はなく、異なる周上に配置されていてもよい。つまり、これらは、それぞれの周上においてランプ中心より見たときに異なる位置に配置される。
【００７１】
ここで、筐体側カバー接続部９２は、筐体５０と接続するための接続部である。具体的には、筐体側カバー接続部９２は、筐体５０のカバー側筐体接続部５３ａと係合可能な形状を有している。つまり、筐体側カバー接続部９２は、カバー底面部９１から上方に突起した突起部の先端が外方に突出した形状を有している。
【００７２】
本実施の形態では、３つの筐体側カバー接続部９２が形成されているが、筐体側カバー接続部９２の数は限定されない。なお、カバー側筐体接続部５３ａと同様に、透光性カバー９０を筐体５０に安定して取り付ける観点からは、２つ以上の筐体側カバー接続部９２が形成されているのが好ましく、３つ以上の筐体側カバー接続部９２が形成されているのがさらに好ましい。
【００７３】
反射側カバー接続部９３は、反射鏡８０と接続するための接続部である。具体的には、反射側カバー接続部９３は、反射鏡８０のカバー側反射接続部８２ａ、８２ｂと係合可能な形状を有している。つまり、反射側カバー接続部９３は、カバー底面部９１から上方に突起した突起部の先端が内方に突出した形状を有している。
【００７４】
本実施の形態では、３つの反射側カバー接続部９３が形成されているが、反射側カバー接続部９３の数は限定されない。なお、カバー側反射接続部と同様に、透光性カバー９０と筐体５０との接続が外れた場合に透光性カバー９０の落下を防止するためには、２つ以上の反射側カバー接続部９３が配置されているのが好ましく、３つ以上の反射側カバー接続部９３が配置されているのがさらに好ましい。
【００７５】
カバー側面部９４は、筐体側カバー接続部９２と反射側カバー接続部９３との間に配置され、カバー底面部９１から上方に突起した、透光性カバー９０の側面部である。同図に示すように、カバー側面部９４には、透光性カバー９０の回転位置を位置決めする２つの回転位置決め部９４ａが配置されている。回転位置決め部９４ａは、反射側カバー接続部９３の両側に配置された、カバー側面部９４から透光性カバー９０内方に突出する突出部である。
【００７６】
つまり、回転位置決め部９４ａは、反射鏡８０のカバー側反射接続部８２ｂと嵌合することで、反射鏡８０に対する透光性カバー９０の回転位置を位置決めする。ここで、反射側カバー接続部９３と、反射側カバー接続部９３の両側の２つの回転位置決め部９４ａとで、反射側カバー接続部９５を構成している。つまり、反射側カバー接続部９５は、カバー側反射接続部８２ｂと係合する。
【００７７】
回転規制部９６は、透光性カバー９０の回転を規制するための、カバー底面部９１から上方に突起した平板状の部位である。つまり、回転規制部９６は、筐体５０の突出部５３ｂと当接することで、筐体５０に対する透光性カバー９０の回転を規制する。
【００７８】
ここで、図７に示すように、３つの筐体側カバー接続部９２と３つの反射側カバー接続部９３（または２つの反射側カバー接続部９３と１つの反射側カバー接続部９５）とは、等間隔で配置されている。つまり、同図の角Ｒ１〜角Ｒ６の全ての角度が同じ角度（同図では６０°）になるように、筐体側カバー接続部９２と反射側カバー接続部９３とが等間隔で交互に配置されている。
【００７９】
なお、上記において、等間隔とは、正確に等間隔である必要はなく、多少の誤差を含む概念として定義される。つまり、例えば角Ｒ１〜角Ｒ６において、それぞれ±１０°程度の誤差は許容される。
【００８０】
次に、筐体５０と反射鏡８０と透光性カバー９０との各接続部における接続状態について、説明する。
【００８１】
図８は、本発明の実施の形態１に係る筐体５０と反射鏡８０との接続状態を示す図である。具体的には、同図は、図７に示されたランプ１をＡ−Ａ断面で切断した場合での断面図である。なお、図８は、筐体５０と反射鏡８０との接続状態を示すための図であり、筐体５０と透光性カバー９０との接続状態の詳細については、省略して示している。
【００８２】
また、図９は、本発明の実施の形態１に係る透光性カバー９０と筐体５０及び反射鏡８０との接続状態を示す図である。具体的には、同図は、図７に示されたランプ１をＢ−Ｂ断面で切断した場合での断面図である。
【００８３】
まず、図９に示すように、透光性カバー９０と筐体５０とは、筐体側カバー接続部９２とカバー側筐体接続部５３ａとが係合することで、接続されている。また、透光性カバー９０と反射鏡８０とは、反射側カバー接続部９３とカバー側反射接続部８２ａとが係合することで、接続されている。
【００８４】
これに対し、図８に示すように、筐体５０の反射側筐体接続部５５と反射鏡８０の筐体側反射接続部８１ａとは、反射鏡８０が落下した場合に係合するように、間隔を空けて配置されている。つまり、図９に示した透光性カバー９０と筐体５０との接続が外れ、透光性カバー９０が反射鏡８０とともに落下した場合に、反射側筐体接続部５５と筐体側反射接続部８１ａとが係合する。
【００８５】
この場合、反射鏡８０と透光性カバー９０とは図９に示したように係合されているため、反射側筐体接続部５５と筐体側反射接続部８１ａとが係合することで、反射鏡８０だけでなく透光性カバー９０についても落下するのを防ぐことができる。
【００８６】
なお、反射側筐体接続部５５と筐体側反射接続部８１ａとは、間隔を空けずに係合状態になっていることにしてもよい。また、反射側筐体接続部５５と筐体側反射接続部８１ａとが係合状態になっており、筐体側カバー接続部９２とカバー側筐体接続部５３ａとが間隔を空けて配置されている、または、反射側カバー接続部９３とカバー側反射接続部８２ａとが間隔を空けて配置されていることにしてもよい。いずれにしても、１組の接続部の係合状態が外れた場合に、他の２組の接続部が係合状態になるため、部材が落下するのを防止することができる。
【００８７】
以上のように、本発明の実施の形態１に係るランプ１によれば、筐体５０と反射鏡８０と透光性カバー９０とがそれぞれ接続される構成になっている。つまり、ランプ１は、筐体側反射接続部８１ａと反射側筐体接続部５５とが接続され、カバー側筐体接続部５３ａと筐体側カバー接続部９２とが接続され、反射側カバー接続部９３とカバー側反射接続部８２ａとが接続されるように構成されている。このため、点灯時の熱による劣化等で、筐体５０と反射鏡８０と透光性カバー９０との接続のうちいずれか１つの接続が外れた場合でも、他の２つの接続によって、部材が落下するのを防止することができる。このように、ランプ１は、二重の落下防止機能を備えたランプである。
【００８８】
また、ランプ１は、筐体５０と反射鏡８０と透光性カバー９０とがそれぞれ接続箇所で係合可能な構成になっている。つまり、ランプ１は、筐体側反射接続部８１ａと反射側筐体接続部５５、カバー側筐体接続部５３ａと筐体側カバー接続部９２、及び反射側カバー接続部９３とカバー側反射接続部８２ａのそれぞれが互いに係合可能な形状を有している。このため、ランプ１は、接着剤などを用いることなく、簡易に、筐体５０と反射鏡８０と透光性カバー９０とをそれぞれ接続することができる。
【００８９】
また、ランプ１の筐体５０と反射鏡８０と透光性カバー９０との接続箇所は、円周上に等間隔で並んでいる。つまり、ランプ１は、筐体側反射接続部８１ａと反射側筐体接続部５５、カバー側筐体接続部５３ａと筐体側カバー接続部９２、及び反射側カバー接続部９３とカバー側反射接続部８２ａのそれぞれが、円周上に等間隔で並んだ構成を有している。このため、筐体５０と反射鏡８０と透光性カバー９０との接続のうちいずれか１つの接続が外れた場合でも、円周上に等間隔で並んだ他の２つの接続によって、部材が落下するのをバランス良く防止することができる。
【００９０】
また、筐体側カバー接続部９２と反射側カバー接続部９３とは、それぞれの周上においてランプ中心より見たときに異なる位置に配置されている。これにより、透光性カバー９０製造時の筐体側カバー接続部９２及び反射側カバー接続部９３の加工を容易に行うことができる。
【００９１】
また、透光性カバー９０は、回転位置決め部９４ａを有しているため、反射鏡８０に対する透光性カバー９０の回転位置を容易に位置決めすることができる。
【００９２】
また、透光性カバー９０は、回転規制部９６を有しているため、筐体５０に対する透光性カバー９０の回転を容易に規制することができる。
【００９３】
（実施の形態２）
次に、本発明の実施の形態２に係る照明装置１００について、説明する。
【００９４】
図１０は、本発明の実施の形態２に係る照明装置１００の構成を示す断面図である。なお、本実施の形態に係る照明装置では、上記実施の形態１に係るランプ１を用いている。したがって、同図において、上記実施の形態１で示した構成要素と同じ構成要素には同じ符号を付している。
【００９５】
同図に示すように、照明装置１００は、例えばダウンライトであり、照明器具１０１と、上記実施の形態１に係るランプ１とを備えている。照明器具１０１は、反射板１０２と放熱部材１０４とからなりランプ１を覆うように構成された器具本体と、当該器具本体に取り付けられたソケット１０３とを備えている。
【００９６】
反射板１０２は、上面に円形の開口が形成された略カップ形状であってランプ１の側方を囲うように構成されている。具体的には、反射板１０２は、上面が円形の開口が形成された円形の平板部で構成され、この平板部の周縁から下方に向かって内径が漸次拡大するように形成された円筒部を備えている。当該円筒部は、光照射側に開口を有し、また、ランプ１からの光を反射するように構成されている。例えば、反射板１０２は、絶縁性を有する白色の合成樹脂によって構成されている。なお、反射率を向上させるために、反射板１０２の内面に反射膜をコーティングしても構わない。なお、反射板１０２は、合成樹脂製のものに限定されず、金属板をプレス加工して形成されたような金属製の反射板を用いてもよい。
【００９７】
ソケット１０３は、ＧＨ７６ｐ形口金に対応しているものであり、ランプ１に対して交流電力を供給する円盤状の部材である。ソケット１０３は、上部が反射板１０２の上面の平板部に形成された開口内方に挿入されるように配置されている。ソケット１０３の中央には、支持台２０の口金形状に対応した形状の開口部が形成されており、この開口部にランプ１を取り付けることで、ランプ１の上面と放熱部材１０４の下面とを熱的に接続させる。また、ソケット１０３の下部の筐体５０の電気接続ピン５２に対応した位置には、電気接続ピン５２が挿入される接続孔が形成されている。
【００９８】
放熱部材１０４は、ランプ１から伝達される熱を放熱する部材である。放熱部材１０４は、反射板１０２の上面及びソケット１０３の上面に当接して配置されている。放熱部材１０４は、アルミニウムなどの熱伝導性が高い材料で構成することが好ましい。
【００９９】
なお、ランプ１は、ソケット１０３に対して着脱可能に取り付けられている。
【０１００】
以上のように、本発明の実施の形態２に係る照明装置１００によれば、上記実施の形態１に係るランプ１を備えているため、上記実施の形態１と同様の効果を奏する。
【０１０１】
以上、本発明の実施の形態に係るランプ及び照明装置について説明したが、本発明は、上記実施の形態に限定されるものではない。
【０１０２】
つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１０３】
例えば、上記実施の形態では、筐体５０、反射鏡８０及び透光性カバー９０は、それぞれ係合によって接続されていることとしたが、接続形態は係合には限定されず、例えば、嵌合などによって接続されてもよい。
【０１０４】
また、上記実施の形態では、筐体５０、反射鏡８０及び透光性カバー９０は、円形状の部材であることとしたが、これに限らない。例えば、筐体５０、反射鏡８０または透光性カバー９０は、楕円形状や四角形や五角形などの多角形状の部材であってもよい。この場合、各接続部は、当該楕円形状や多角形状の周上に等間隔で配置される。
【０１０５】
また、上記実施の形態では、反射鏡８０の全部が筐体５０の内方に配置されていることとしたが、反射鏡８０の一部のみが筐体５０の内方に配置されていることにしてもよい。また、熱伝導シート３０、実装基板４０及び回路基板７０についても、これらの全部または一部が、筐体５０の外方に配置されていることにしてもよい。
【０１０６】
また、上記実施の形態において、発光部４１からの光を集光するためのレンズやリフレクタ等の光学部品、または、色調調節のための光学フィルタ等を用いてもよい。但し、これらの部品は、本発明の必須の構成ではない。
【０１０７】
また、上記実施の形態では、発光素子の一例としてＬＥＤを用いたが、半導体レーザ及び有機ＥＬ（Ｅｌｅｃｔｒｏ  Ｌｕｍｉｎｅｓｃｅｎｃｅ）等の他の発光素子を用いることも可能である。
【産業上の利用可能性】
【０１０８】
本発明に係るランプは、例えばＧＨ７６ｐ形の口金を有するランプ等として、広く利用することができる。
【符号の説明】
【０１０９】
１  ランプ
１０  熱伝導シート
２０  支持台
３０  熱伝導シート
４０  実装基板
４１  発光部
５０  筐体
５１、５１ａ〜５１ｅ  貫通孔
５２、５２ａ〜５２ｅ  電気接続ピン
５３  筐体側面部
５３ａ  カバー側筐体接続部
５３ｂ  突出部
５４  筐体上面部
５４ａ〜５４ｃ  ネジ挿入部
５５  反射側筐体接続部
６０  固定用ネジ
７０  回路基板
８０  反射鏡
８１  反射鏡側面部
８１ａ  筐体側反射接続部
８２  反射鏡底面部
８２ａ、８２ｂ  カバー側反射接続部
９０  透光性カバー
９１  カバー底面部
９２  筐体側カバー接続部
９３、９５  反射側カバー接続部
９４  カバー側面部
９４ａ  回転位置決め部
９６  回転規制部
１００  照明装置
１０１  照明器具
１０２  反射板
１０３  ソケット
１０４  放熱部材
【図１Ａ】
0005654135.tif 000002
【図１Ｂ】
0005654135.tif 000003
【図２】
0005654135.tif 000004
【図３】
0005654135.tif 000005
【図４】
0005654135.tif 000006
【図５】
0005654135.tif 000007
【図６】
0005654135.tif 000008
【図７】
0005654135.tif 000009
【図８】
0005654135.tif 000010
【図９】
0005654135.tif 000011
【図１０】
0005654135.tif 000012